(57)【特許請求の範囲】
【請求項１】
ユーズドブリック，天然砕石，表面剥落モルタル等による風化乃至破損の複雑凹凸表面状態を再現した成形面を備えたパネル基体と，該パネル基体の成形面上に配置したシーラー層，下塗り層，微細物層，マスキングスプレー塗装層及びクリヤー塗装層とを備え，上記微細物層をガラス質乱反射印象を付与する光乱反射微細物の微細物層とし，上記マスキングスプレー塗装層を多数回の多色マスキングスプレー塗装によって上記パネル基体の複雑凹凸表面全体に多色塗装用インクを満遍なくいきわたらせて該複雑凹凸表面を多色の塗装用インク複合色調とし且つ単一乃至複数の表層側塗装用インクの部分的剥離により下層の塗装用インクを露出表出したかすれ筋目模様乃至斑点模様を有する模様付マスキングスプレー塗装層とすることによってパネル基体成形面を経年変化による古色感再現の表面形状及び色調としてなることを特徴とする内外装用パネル。
【請求項２】
上記光反射微細物の微細物層に代えて，ざらざら感の地肌印象を付与する非光沢微細物の微細物層としてなることを特徴とする請求項１に記載の内外装用パネル。
【請求項３】
ユーズドブリック，天然砕石，表面剥落モルタル等による風化乃至破損の複雑凹凸表面状態を再現した成形面を形成するパネル基体成形工程と，該パネル基体の上記成形面に対するシーラー層，下塗り層，微細物層，模様付きマスキングスプレー塗装層及びクリヤー塗装層をそれぞれ形成するシーラー塗装工程，下塗り塗装工程，微細物形成工程，マスキングスプレー塗装工程，ブラッシング工程及びクリヤー塗装工程とを備え，上記微細物層形成工程を，ガラス質乱反射印象を付与する光乱反射微細物を下塗り塗装工程における乾燥硬化前の塗料をバインダーとして均一供給することによって行い，上記マスキングスプレー塗装工程を，透孔形状の異なる複数のマスキング材を用いて多数回多色の塗装用インクによるスプレー塗装を施すことによって上記パネル基体成形面の複雑凹凸表面全体に多色塗装用インクを満遍なくいきわたらせて該複雑凹凸表面を多色の塗装用インク複合色調とする多層の塗装用インク層を形成する工程とし，ブラッシング工程を該塗装用インク層の単一乃至複数の表層側塗装用インクの部分的剥離により下層の塗装用インクを露出してかすれ筋目模様乃至斑点模様を表出し該塗装インク層を模様付マスキングスプレー塗装層とする工程として，上記パネル基体成形面を経年変化による古色感再現の表面形状及び色調とすることを特徴とする内外装用パネルの製造方法。
【請求項４】
上記微細物層形成工程におけるガラス質乱反射印象を付与する光乱反射微細物に代えて，ざらざら感の地肌印象を付与する非光沢微細物を用いてなることを特徴とする請求項３に記載の内外装用パネルの製造方法。
【発明の詳細な説明】
【０００１】
【発明の属する技術分野】
本発明は，建物，塀等の建築又は構築物の外装又は内装に用いる内外装用パネル及びその製造方法に関する。
【０００２】
【従来の技術及び発明が解決しようとする課題】
この種外装用パネルとして，例えばカラー鋼板の裏側に発泡合成樹脂を配置した金属系サイディング，モルタルによって成形し，表面にレンガ，タイル，天然石等の色調を塗装したモルタル系，窯業系サイディングやカーテンウオール等が知られているが，金属系サイディングは，その色調が単調であるとともに，金属感を拭うことができないし，モルタル系，窯業系サイディングも実際のものの色調を必ずしも忠実に再現したものではないし，仮に忠実に再現し得たとしても，新品のレンガ，タイル，天然石等の色調とするのが一般であり，個性に乏しいものとなり易い。
【０００３】
本発明はこのような事情に鑑みてなされたもので，その解決課題とするところは，風化したユーズドブリックや，表面が破損した天然砕石のように，表面を複雑凹凸面とするとともに該複雑凹凸面に経年変化による古色感再現の表面形状及び色調を付与することによってユニーク且つ高品位にして量産に適した外装用パネル及びその製造方法を提供するにある。
【０００４】
【課題を解決するための手段】
上記課題に沿って本発明は，成形によって風化や破損を再現した複雑凹凸面を表出するとともにこれにシーラー層，下塗り層，微細物層を介して多色の塗装用インクによるマスキングスプレー塗装層を形成することによって上記複雑凹凸面に多色のインクを満遍なくいきわたらせて該多色のインクの重ねによる微妙な複合色調を表出する一方，該マスキングスプレー塗装層にその部分剥離によって下層のインクを露出しかすれ筋目模様乃至斑点模様を表出するとともに上記微細物層を光乱反射微細物の層とし，上記マスキングスプレー塗装層にガラス質が乱反射する印象を付与して複雑凹凸面を経年変化による古色感を再現した形状及び色調としたものであって，即ち請求項１に記載の発明を，ユーズドブリック，天然砕石，表面剥落モルタル等による風化乃至破損の複雑凹凸表面状態を再現した成形面を備えたパネル基体と，該パネル基体の成形面上に配置したシーラー層，下塗り層，微細物層，マスキングスプレー塗装層及びクリヤー塗装層とを備え，上記微細物層をガラス質乱反射印象を付与する光乱反射微細物の微細物層とし，上記マスキングスプレー塗装層を多数回の多色マスキングスプレー塗装によって上記パネル基体の複雑凹凸表面全体に多色塗装用インクを満遍なくいきわたらせて該複雑凹凸表面を多色の塗装用インク複合色調とし且つ単一乃至複数の表層側塗装用インクの部分的剥離により下層の塗装用インクを露出表出したかすれ筋目模様乃至斑点模様を有する模様付マスキングスプレー塗装層とすることによってパネル基体成形面を経年変化による古色感再現の表面形状及び色調としてなることを特徴とする内外装用パネルとしたものである。
【０００５】
請求項２に記載の発明は，上記ガラス質が乱反射する印象に代えて，ざらざらした地肌の印象を付与したものとするように，これを，上記光反射微細物の微細物層に代えて，ざらざら感の地肌印象を付与する非光沢微細物の微細物層としてなることを特徴とする請求項１に記載の内外装用パネルとしたものである。
【０００６】
請求項３に記載の発明は，耐久性に優れ且つ量産に適した上記内外装パネルの製造方法を提供するように，これを，ユーズドブリック，天然砕石，表面剥落モルタル等による風化乃至破損の複雑凹凸表面状態を再現した成形面を形成するパネル基体成形工程と，該パネル基体の上記成形面に対するシーラー層，下塗り層，微細物層，模様付きマスキングスプレー塗装層及びクリヤー塗装層をそれぞれ形成するシーラー塗装工程，下塗り塗装工程，微細物形成工程，マスキングスプレー塗装工程，ブラッシング工程及びクリヤー塗装工程とを備え，上記微細物層形成工程を，ガラス質乱反射印象を付与する光乱反射微細物を下塗り塗装工程における乾燥硬化前の塗料をバインダーとして均一供給することによって行い，上記マスキングスプレー塗装工程を，透孔形状の異なる複数のマスキング材を用いて多数回多色の塗装用インクによるスプレー塗装を施すことによって上記パネル基体成形面の複雑凹凸表面全体に多色塗装用インクを満遍なくいきわたらせて該複雑凹凸表面を多色の塗装用インク複合色調とする多層の塗装用インク層を形成する工程とし，ブラッシング工程を該塗装用インク層の単一乃至複数の表層側塗装用インクの部分的剥離により下層の塗装用インクを露出してかすれ筋目模様乃至斑点模様を表出し該塗装インク層を模様付マスキングスプレー塗装層とする工程として，上記パネル基体成形面を経年変化による古色感再現の表面形状及び色調とすることを特徴とする内外装用パネルの製造方法としたものである。
【０００７】
請求項４に記載の発明は，上記ガラス質乱反射印象に代えて，ざらざら感の地肌印象を付与するものとするように，これを，上記微細物層形成工程におけるガラス質乱反射印象を付与する光乱反射微細物に代えて，ざらざら感の地肌印象を付与する非光沢微細物を用いてなることを特徴とする請求項３に記載の内外装用パネルの製造方法としたものである。
【０００８】
本発明は，これらをそれぞれ発明の要旨として上記課題解決の手段としたものである。
【０００９】
【発明の実施の形態】
以下図面の例に従って本発明を更に具体的に説明すれば，Ａは，例えば金属系，モルタル系又は窯業系とした内外装用パネルであり，該内外装パネルＡは，パネル基体１表面に配置した複雑凹凸の成形面上に配置したシーラー層２，下塗り層３，微細物層４，マスキングスプレー塗装層５及びクリヤー塗装層７とを備えたものとしてある。
【００１０】
このとき上記微細物層４は，これをガラス質乱反射印象を付与する光乱反射微細物の微細物層又は該光反射微細物の微細物層に代えて，ざらざら感の地肌印象を付与する非光沢微細物の微細物層とし，上記マスキングスプレー塗装層５ａ〜５ｄは，これを多数回の多色マスキングスプレー塗装によって上記パネル基体の複雑凹凸表面全体に多色塗装用インクを満遍なくいきわたらせて該複雑凹凸表面を多色の塗装用インク複合色調とし且つ単一乃至複数の表層側塗装用インクの部分的剥離により下層の塗装用インクを露出表出したかすれ筋目模様乃至斑点模様６を有する模様付マスキングスプレー塗装層とすることによってパネル基体１成形面を経年変化による古色感再現の表面形状及び色調としてある。
【００１１】
本例にあって上記シーラー層２及び下塗り層３は，これをスプレー塗装により，また上記塗装用インクによる多色のインク複合色調としたマスキングスプレー塗装層５，即ち５ａ〜５ｄは，これを透孔形状の異なる複数のマスキング材１０を用いて多色の塗装用インクによる複数乃至多数回のスプレー塗装として，複雑凹凸の成形面を全体に亘り塗装用インクの複合色の色調としたものとしてある。即ちこれら塗装をスプレー塗装とすることによって，複雑凹凸の成形面に対してその複雑凹面，複雑凸面に満遍なく塗料乃至塗装用インクがいきわたるようにして該成形面の塗装を塗装漏れのない状態とするとともに上記マスキングスプレー塗装層５ａ〜５ｄについては複雑凹凸の成形面に塗装用インク色の重ねによる複合色を可及的自由に表出し得るようにしてある。
【００１２】
微細物層４は，これを光乱反射微細物とするとき，例えば樹脂ビーズ，金属フレーク等の光乱反射性材料を，これに代えて非光沢微細物とするとき，例えば砂等の光沢のない材料を用いることができ，該微細物層４は，上記スプレー塗装によってシーラー層３上に形成した下塗り層４の乾燥硬化前の塗料をバインダーとして，これに例えば篩を用いて供給することによってこれを形成することができる。
【００１３】
上記マスキングスプレー塗装層５を上記かすれ筋目模様乃至斑点模様６の模様付きとするについて，該模様６は，例えばフエルト，ウレタンゴム等のロール，布，植物等の多繊維質のブラシ，織布，不織布等の布体等のブラッシング材１１を用いて，これを上記塗装用インクの最表面乃至中間の塗装層５ｄ乃至５ａに接触状態で高速回転乃至高速移動を施し又は手作業でこすりを施すことによって，１又は複数の表層の塗装用インクを削り取るように部分的に剥離し，その下層の塗装用インクを部分的に露出させることによってその表出を行うことができる。即ちマスキングスプレー塗装層５は多数回のマスキングスプレー塗装を施して，上記５ａ〜５ｄの４層をなすものとしてあり，その最表面乃至中間の塗装層５ｄ乃至５ａを部分的に剥離することによって塗装用インクの色調を異にして上記模様６を表出したものとしてある。
【００１４】
このように形成した模様６付マスキングスプレー塗装層５にはクリヤー塗装層７を形成して該マスキングスプレー塗装層５を被覆することによって，該模様６付のマスキングスプレー塗装層５の色調長期に亘って確保し且つ外力から該塗装層を保護するものとすることができる。
【００１５】
以下該内外装パネルＡを更にその製造方法によって説明すれば，該内外装パネルＡは，ユーズドブリック，天然砕石，表面剥落モルタル等による風化乃至破損の複雑凹凸表面状態を再現した成形面を形成するパネル基体成形工程と，該パネル基体１の上記成形面に対するシーラー層２，下塗り層３，微細物層４，模様６付きマスキングスプレー塗装層５ａ〜５ｄ及びクリヤー塗装層７をそれぞれ形成するシーラー塗装工程，下塗り塗装工程，微細物形成工程，マスキングスプレー塗装工程，ブラッシング工程及びクリヤー塗装工程とを備え，上記微細物層形成工程を，ガラス質乱反射印象を付与する光乱反射微細物を下塗り塗装工程における乾燥硬化前の塗料をバインダーとして均一供給することによって行い，上記マスキングスプレー塗装工程を，透孔形状の異なる複数のマスキング材１１を用いて多数回多色の塗装用インクによるスプレー塗装を施すことによって上記パネル基体１成形面の複雑凹凸表面全体に多色塗装用インクを満遍なくいきわたらせて該複雑凹凸表面を多色の塗装用インク複合色調とする多層の塗装用インク層を形成する工程とし，ブラッシング工程を該塗装用インク層の単一乃至複数の表層側塗装用インクの部分的剥離により下層の塗装用インクを露出してかすれ筋目模様乃至斑点模様６を表出し該塗装インク層を模様付マスキングスプレー塗装層とする工程として，上記パネル基体１成形面を経年変化による古色感再現の表面形状及び色調とするものとしてあり，また必要に応じて，上記微細物層形成工程におけるガラス質乱反射印象を付与する光乱反射微細物に代えて，ざらざら感の地肌印象を付与する非光沢微細物を用いるものとしてある。
【００１６】
即ちパネル基体成形工程は，例えば上記ユーズドブリック，天然砕石，表面剥落モルタル等からその風化乃至破損の凹凸表面状態を型取りした，例えばシリコン型を用いてモルタル等の成形材を流し込み成形して乾燥，脱型し，また窯業材を加圧成形した後加熱焼結し，或いは同じく型取りした砂型に樹脂シートを真空吸引したのち鋳物金属材を流し込み成形して脱型し，更には上記凹凸表面状態を精密加工した金型を用いてプレス金属材をプレス成形すること等によって，表面に上記凹凸表面状態を再現したパネル基体１を成形する工程としてある。
【００１７】
上記シーラー塗装工程は，例えばアクリル，ポリイソシアネート，ウレタン等の樹脂塗料を，例えばスプレー塗装によって施し，上記下塗り塗装工程は，その乾燥硬化後に同じくアクリル，アクリルシリコン等にしてベース色をなすように，例えば白色の樹脂塗料をスプレー塗装によって施し，上記微細物散布工程は，該下塗り塗装工程の塗料をバインダーとするように該塗料の乾燥硬化前に，その表面に，例えば篩を用いて微細物を均一に供給することによって施すものとしてある。
【００１８】
塗装用インクのマスキング塗装工程は，例えばパネル基体１と同等又はその一部をカバーする大きさにしてパネル基体１の成形面における所望の塗装部分に合わせた形状の透孔を透設した，金属板，樹脂板，金属箔，樹脂シート等による複数にして成形面の複雑凹面，複雑凸面又はその双方を部分的にカバーするマスキング材１０を用い，これをそれぞれパネル基体１に載置して多数回の上記スプレー塗装又はロール塗装を施すものとしてあり，このときマスキング塗装は，任意のマスキング材１０毎に塗装用インクのインク色を同一とし又は変更して，必要に応じて塗装用インクの複合色を得られるようにしてあり，本例のマスキング工程は，例えば４回の各異なるマスキング材１０と異なるインク色によってこれを行うようにしてあり，このときインク色は，例えば赤系統，黄系統，ブラウン系統，黒系統，青系統，白系統等の各種色調を適宜に使用して，その単色乃至複合の色調を複雑凹面，複雑凸面乃至その双方に亘るようにランダムに配置して，上記ユーズドブリック，天然砕石，表面剥落モルタル等の風化乃至破損の色調を可及的忠実に再現するようにしてある。
【００１９】
ブラッシング工程は，上記マスキング塗装工程の中間工程として又はその後工程として適宜に塗装用インクに上記ロール，ブラシ，布等のブラッシング材１１を機械的又は人手作業によって接触させることによってマスキング工程における中間の塗装用インクの塗装層５ａ乃至５ｃに対して又は最表面の塗装層５ｄに対して，部分的なインク剥離を行い，その下層にある単一又は複数の塗装用インクの塗装層を露出してかすれ模様６を表出するようにこれを施すものとしてある。
【００２０】
クリヤー塗装工程は，必要な塗装を行なった最終の工程として，例えばアクリル，アクリルシリコン，フッ素等の樹脂塗料乃至水ガラス等の無機塗料を，例えばスプレー塗装によって複雑凹凸の成形面の全体を被覆するようにこれを施し，必要に応じて乾燥を行なうものとしてある。
【００２１】
以上の内外装パネルＡは，例えば大小不揃いの花崗岩による複雑凹凸面の天然砕石を粘土等の目地部を介して積み上げて現場施工した塀乃至外壁が経年変化によって風化乃至破損した状態を忠実に再現したものとなり，天然砕石の色調を，例えば部分的に黄系統，赤系統，やや黒系統等に表出され，目地部が白系統に表出されるとともに各天然砕石の表面に他の色が混在して全体として天然砕石が経年変化した結果の古色感が現れた形状と色調を有するものとなし得た。即ちマスキングスプレー塗装層５が，成形面の複雑凹凸面に多色のインクを満遍なくいきわたらせて多色のインクの重ねによる微妙な複合色調を表出する一方，該マスキングスプレー塗装層５にその部分剥離によって下層のインクを露出してかすれ筋目模様乃至斑点模様を表出するとともに上記微細物層４によってマスキングスプレー塗装層５にガラス質が乱反射する印象を付与し，またざらざら感の地肌印象を付与し，該複雑凹凸面を経年変化による古色感を再現した形状及び色調として上記風化乃至破損の状態を極めて忠実に再現するとともに耐久性に富んだものとなし得た。
【００２２】
図示した例は以上のとおりとしたが，本発明の実施に当ってパネル基体，その成形面，シーラー層，下塗り層，微細物層，マスキングスプレー塗装層，クリヤー層，光乱反射微細物，非光沢微細物，塗装用インク等の具体的形状，構造，材質，大きさ，これらの関係，これらに対する付加，内外装パネルの具体的用途，製造方法の各具体的工程等は，上記発明の要旨に反しないかぎり様々な形態のものとすることができる。
【００２３】
【発明の効果】
本発明は以上のとおりに構成したから，請求項１に記載の発明は，成形によって風化や破損を再現した複雑凹凸面を表出するとともにこれにシーラー層，下塗り層，微細物層を介して多色の塗装用インクによるマスキングスプレー塗装層を形成することによって上記複雑凹凸面に多色のインクを満遍なくいきわたらせて該多色のインクの重ねによる微妙な複合色調を表出する一方，該マスキングスプレー塗装層にその部分剥離によって下層のインクを露出しかすれ筋目模様乃至斑点模様を表出するとともに上記微細物層を光乱反射微細物の層とし，上記マスキングスプレー塗装層にガラス質が乱反射する印象を付与して複雑凹凸面を経年変化による古色感を再現した形状及び色調として，風化したユーズドブリックや，表面が破損した天然砕石のように，表面を複雑凹凸面とするとともに該複雑凹凸面に経年変化による古色感再現の表面形状及び色調を付与することによってユニーク且つ高品位にして量産に適した外装用パネルを提供することができる。
【００２４】
請求項２に記載の発明は，上記ガラス質が乱反射する印象に代えて，ざらざらした地肌の印象を付与したものとすることができる。
【００２５】
請求項３に記載の発明は，耐久性に優れ且つ量産に適した上記内外装パネルの製造方法を提供することができる。
【００２６】
請求項４に記載の発明は，上記ガラス質乱反射印象に代えて，ざらざら感の地肌印象を付与するものとすることができる。
【図面の簡単な説明】
【図１】  内外装パネルの表面状態を示す部分拡大平面図である。
【図２】  パネル基体への塗装のモデルを示す部分拡大縦断面図である。
【図３】  製造方法における塗装のモデル工程図である。
【図４】  内外装パネルの表面状態を示す着色を省略した部分拡大写真である。
【符号の説明】
Ａ  内外装パネル
１  パネル基体
４  微細物層
５ａ〜５ｄ  塗装用インクの塗装層
６  かすれ模様
７  クリヤー層
１０  マスキング材
１１  ブラッシング材
【図１】
0003968447.tif 000002
【図２】
0003968447.tif 000003
【図３】
0003968447.tif 000004
【図４】
0003968447.tif 000005